(57)【要約】【課題】遊技台上側に配置されている呼出ランプユニットより前方に突き出ることなく、台間機上側の狭いスペースに設置可能な遊技台用台間機の入金装置を提案すること。【解決手段】台間機７の上側に配置されている入金装置８はＬ形の装置ケース２１を備え、この装置ケース２１は、隣接の遊技台５の上側に配置されている呼出ランプユニット６の背面側の空間を利用して配置されている背面側部分２２と、呼出ランプユニット６の隣接位置から前方に突出している前方突出部分２３とを備えており、背面側部分２２の内部に、最も大きなスペースを必要とする紙幣収納部２８が形成されている。入金装置８における前方突出部分２３の高さ、幅および厚さ寸法を小さくできる。【選択図】      図２
2004229697.tif 000002
【特許請求の範囲】
【請求項１】
遊技台に隣接配置される台間機の上側に配置される遊技台用台間機の入金装置において、
前記遊技台の上部に配置されている呼出ランプユニットの背面側に、当該入金装置の一部分が配置されていることを特徴とする遊技台用台間機の入金装置。
【請求項２】
請求項１において、
紙幣挿入口と、当該紙幣挿入口から挿入された紙幣の真偽を判別する識別部と、当該識別部によって真札であると判別された紙幣を収納する紙幣収納部とを有し、
前記紙幣収納部が前記呼出ランプユニットの背面側に配置されていることを特徴とする遊技台用台間機の入金装置。
【請求項３】
請求項２において、
全体としてＬ形をした装置ケースを有し、
この装置ケースは、前記呼出ランプユニットの背面側に配置されている背面側部分と、前記呼出ランプユニットの隣接位置から前方に突出している前方突出部分とを備えており、
前記前方突出部分の前面に前記紙幣挿入口が形成されており、
前記背面側部分の内部には前記紙幣収納部が形成されており、
これら前方突出部分および背面側部分の内部には、前記紙幣挿入口から前記紙幣収納部に到るＬ形に折れ曲がった紙幣搬送路が形成されていることを特徴とする遊技台用台間機の入金装置。
【請求項４】
請求項３において、
前記紙幣挿入口は上下方向に延びるスリットであり、紙幣をその長手方向に沿って挿入可能であることを特徴とする遊技台用台間機の入金装置。
【請求項５】
請求項４において、
前記装置ケースにおける前記背面側部分の前面には、前記紙幣収納部から紙幣を取り出すための横長の長方形の取り出し口が形成されていることを特徴とする遊技台用台間機の入金装置。
【請求項６】
請求項５において、
前記紙幣収納部は、前記取り出し口を介して、前記装置ケースの前記背面側部分の内部に、着脱可能な状態で装着されていることを特徴とする遊技台用台間機の入金装置。
【発明の詳細な説明】
【０００１】
【発明の属する技術分野】
本発明は、磁気カードやＩＣカードなどを用いてパチンコ玉などの遊技媒体の貸し出しを行う遊技台用台間機に、紙幣も用いることができるように入金機能を追加するために用いるのに適した遊技台用台間機の入金装置に関するものである。
【０００２】
【従来の技術】
パチンコ台などの遊技台の間には、磁気カードやＩＣカードによりパチコン玉などの遊技媒体を貸し出すプリペイドカード式の台間機が設置されている。台間機のカード挿入口にＩＣカードなどのプリペイドカードを挿入すると、そこに記憶保持されている金額情報に応じて、台間機から、あるいは遊技台から直接に、パチンコ玉などの遊技媒体が貸し出されるようになっている。
【０００３】
このような台間機としては、紙幣などの入金機能を備え、磁気カードやＩＣカードの金額情報を更新可能なものが知られている。例えば、下記の特許文献にはかかる更新機能を備えた遊技システムにおけるカード情報更新装置が開示されている。
【０００４】
かかる入金機能を備えたプリペイドカード式の台間機には紙幣識別装置が搭載されており、紙幣識別装置に対して紙幣がその長手方向に沿って挿入されるようになっている。遊技者によって挿入された紙幣は、紙幣識別装置内で真偽が判別され、真札であると判別された紙幣は、台間機の背面側に送り出される。遊技島の遊技台および台間機の背面側には遊技媒体の搬送経路と共に紙幣搬送経路が配置されている。台間機背面側に送り出された紙幣は、この紙幣搬送路に沿って搬送され、遊技島の端に設置されている金庫に集められる。金庫に回収された紙幣は、遊技店の閉店後などに店員によって回収される。
【０００５】
【特許文献】
特開２００１−３２７７４６号公報
【０００６】
【発明が解決しようとする課題】
ここで、入金機能を備えていないプリペイドカード式の台間機が設置されている遊技店において、入金機能付きの台間機を導入するためには、各台間機で取り込まれた紙幣を搬送するための搬送機構を遊技島に設置する必要がある。しかしながら、遊技店によっては、遊技島における遊技台および台間機の背面に搬送機構を設置可能なスペースを取れない場合がある。この場合には、遊技島全体のレイアウト変更が必要になってしまう。
【０００７】
そこで、紙幣識別機能および紙幣収納機能を備えた入金装置を各台間機の上部などに外付けし、各入金装置の入金情報を台間機に送信して、ＩＣカードなどの金額情報を更新するようにすれば、紙幣搬送機構の設置が不要になり、遊技島の全体レイアウトの変更も不要になる。
【０００８】
しかしながら、このような外付けの入金装置を各台間機の上部に取り付けた場合には次のような弊害が発生する惧れがある。
【０００９】
各遊技台の上側には呼出ランプユニットが取り付けられており、この呼出ランプユニットには、遊技台故障時などの際の呼出ボタン、呼出ボタンの操作により点滅する呼出ランプ、大当たり回数などの遊技履歴情報の表示画面などが取り付けられている。従って、台間機の上側に入金装置を取り付けると、隣接している遊技台の呼出ランプユニットの間に入金装置が位置した状態になる。入金装置が呼び出しランプユニットよりも前方に突出している場合には、入金装置が障害となって、ランプの点滅状態を店員が横方から確認することが困難あるいは不可能になってしまう。
【００１０】
一方、入金装置の突出量を少なくすると、挿入された紙幣を収納する紙幣収納部の設置場所を確保できないとう問題が発生する。勿論、台間機背面側に紙幣収納部を突出させればよいが、台間機背面側に充分なスペースを確保できない場合が多い。すなわち、上述したように、台間機背面側に充分なスペースを確保できる場合には、そこに紙幣搬送経路を配置すれば、入金装置を外付けすることなく、入金機能付きの台間機を設置可能である。外付けの入金装置の設置を希望する遊技店においては、台間機背面側に充分なスペースを確保できない場合が多い。この場合には、台間機背面側に紙幣収納部を突出させることができない。
【００１１】
さらに、呼出ランプユニットに、大当たり回数などの遊技履歴を表示するための表示画面などが設置されている場合には、呼出ランプユニットの間のスペースが狭いので、設置可能な入金装置の寸法に制約がある。
【００１２】
本発明の課題は、このような点に鑑みて、台間機上側における呼出ランプユニットの間のスペースに設置するのに適した遊技台用台間機の入金装置を提案することにある。すなわち、本発明の課題は、前方への突出量が少なく、しかも、呼出ランプユニット間の狭いスペースに設置可能な遊技台用台間機の入金装置を提案することにある。
【００１３】
【課題を解決するための手段】
上記の課題を解決するために、本発明は、遊技台に隣接配置される台間機の上側に配置される遊技台用台間機の入金装置において、前記遊技台の上部に配置されている呼出ランプユニットの背面側に、当該入金装置の一部分が配置されていることを特徴としている。
【００１４】
本発明では、呼出ランプユニットの背面側のスペースを利用して、入金装置の一部を配置している。従って、呼出ランプユニット間が狭くても入金装置を取り付けることができ、また、当該入金装置の前方への突出量も少なくすることが可能になる。
【００１５】
ここで、入金装置は、紙幣挿入口と、当該紙幣挿入口から挿入された紙幣の真偽を判別する識別部と、当該識別部によって真札であると判別された紙幣を収納する紙幣収納部とを備えた構成となっている。最も大きなスペースを必要とする前記紙幣収納部を前記呼出ランプユニットの背面側に配置することが望ましい。
【００１６】
この場合、入金装置の装置ケースを、全体としてＬ形とし、前記呼出ランプユニットの背面側に配置されている背面側部分と、前記呼出ランプユニットの隣接位置から前方に突出している前方突出部分から構成することができる。この場合には、前記前方突出部分の前面に前記紙幣挿入口を形成し、前記背面側部分の内部に前記紙幣収納部を形成し、これら前方突出部分および背面側部分の内部に、前記紙幣挿入口から前記収納部に到るＬ形に折れ曲がった紙幣搬送路を形成すればよい。
【００１７】
また、前記紙幣挿入口を上下方向に延びるスリットとし、当該スリットの長さを、紙幣をその長手方向に沿って挿入可能な長さにすればよい。このようにすれば、紙幣を長手方向に沿って垂直な姿勢で挿入することができる。入金装置の高さ寸法は、挿入される紙幣の幅よりも僅かに大きな寸法でよいので、台間機上側のスペースの高さ寸法に制約がある場合などに適している。また、挿入された紙幣は、Ｌ形の紙幣搬送路に沿って搬送されて、呼出ランプユニット背面側の紙幣収納部に、横長の状態で前面に向いた状態でスタックされる。
【００１８】
次に、紙幣収納部から紙幣を取り出すためには、呼出ランプユニットを開閉あるいは着脱可能としておき、その背面側に位置している前記装置ケースの前記背面側部分の前面に、当該紙幣収納部から紙幣を取り出すための横長の開閉可能な長方形の取り出し口を形成しておけばよい。
【００１９】
前記紙幣収納部を、前記取り出し口を介して、前記装置ケースの前記背面側部分の内部に、着脱可能な状態で装着されたカセット式のものにすることも可能である。
【００２０】
【発明の実施の形態】
以下に、図面を参照して、本発明を適用した遊技台用台間機の入金装置を備えた遊技システムを説明する。
【００２１】
図１は本実施の形態に係る遊技システムを示す部分正面図であり、図２はその部分平面図であり、図３はその部分側面図である。本実施の形態に係る遊技システム１の基本的な構成は一般的なものであり、遊技島２を構成するための取り付け枠３と、この取り付け枠３に沿って取り付けられた複数の遊技ユニット４とを有している。各遊技ユニット４は、パチンコ台やスロット台などの遊技台５と、当該遊技台５の上部に配置されている呼出ランプユニット６と、遊技台５の左側に隣接配置されているプリペイドカード式の台間機７と、当該台間機７の上部に配置されている紙幣用の入金装置８とを備えている。かかる構成の遊技ユニット４により一つの遊技島２が構成されている。
【００２２】
各遊技台５は一定の隙間をあけて取り付け枠３に取り付けられており、遊技台５の間の隙間に、台間機７が差し込まれて固定されている。また、これら遊技台５および台間機７の上側に配置されている呼出ランプユニット６および入金装置８は、取り付け枠３の上部に固定された垂直な化粧板９の表面に固定されている。
【００２３】
プリペイドカード式の台間機７は一般的に用いられているものと同様であり、その前面の下側部分にカード挿入口７ａが形成されており、その中ほどの位置には表示画面付きの操作部７ｂが配置されており、内部には、カードリーダライタ、遊技台５、入金装置８および外部のホストコンピュータとの間で通信を行うための通信ユニット、およびこれらの駆動を制御するための制御ユニットなどが内蔵されている。台間機７は、カード挿入口７ａからＩＣカード、磁気カードなどからなるプリペイドカードが挿入されると、そこに記録されている金額情報の範囲内で、操作部７ｂから入力される数量の遊技媒体を隣接の遊技台５に貸し出す。また、入金装置８からの入金情報を受信すると、プリペイドカードの金額情報を更新して、入金額に対応する金額を加算した金額情報に書き換える。
【００２４】
遊技台５の上部に配置されている呼出ランプユニット６は、横長のユニット基板６ａと、このユニット基板６ａの表面に取り付けた不図示のランプを覆っているランプケース６ｂとを備えている。ユニット基板６ａは、化粧板９の表面に固定した取り付け台１０に取り付けられている。ユニット基板６ａにおける中央部分の背面側からは給電用のケーブル６ｄが引き出されており、このケーブル６ｄは、取り付け台１０の内部を通って化粧板９の背面側に引き回されている。また、本例では、呼出ランプユニット６は、その上側の縁部分と取り付け台１０の間に取り付けた蝶番１１を中心として、取り付け台１０から上方に開けることが可能となっている。
【００２５】
次に、入金装置８は、図２から良く分かるように、その装置ケース２１が全体としてＬ形となっており、呼出ランプユニット６の左側背面部分と化粧板９の間の空間に配置されている扁平な横長の直方体形状の背面側部分２２と、呼出ランプユニット６の左側の隣接位置から前方に突出している直方体形状の前方突出部分２３を備えている。装置ケース２１の上下方向の高さ寸法は呼出ランプユニット６の取り付け台１０の高さ寸法と同一とされ、その背面側部分２２の厚さも取り付け台１０の厚さと同一とされている。また、前方突出部分２３は、呼出ランプユニット６のランプケース６ｂの前端よりも僅かに後退した位置まで突出しており、その前面２４は垂直な平坦面とされている。
【００２６】
この形状の装置ケース２１の前面２４には、上下方向に延びる一定幅の紙幣挿入口２５が形成されている。装置ケース２１の内部には、紙幣挿入口２５から前方突出部分２３の内部を後方に向けて水平に延び、円弧状に右側に湾曲した後に、背面側部分２２の内部を横方向に向けて水平に延びるＬ形の紙幣搬送路２６が形成されている。紙幣挿入口２５から挿入された紙幣Ｐは、この紙幣搬送路２６に沿って不図示の搬送機構によって搬送される。
【００２７】
この紙幣搬送路２６の折れ曲がり部分には紙幣を搬送するための搬送ローラ２６ａが配置されており、ここを通過する紙幣Ｐは、当該搬送ローラ２６ａに対向配置されている検出部２７によって、その真偽が判別される。偽札であると判別されたものは、紙幣挿入口２５から排出され、真札であると判断されたものだけが、紙幣搬送路２６に沿って下流側に搬送される。
【００２８】
装置ケース２１の背面側部分２２の内部には、紙幣搬送路２６に沿って搬送されてきた紙幣Ｐをそのまま押し込まれた状態でスタックする紙幣収納部２８が形成されている。真札と判別されて搬送されてきた紙幣Ｐは、当該紙幣収納部２８において、前後方向にスタックされた状態で収納される。
【００２９】
ここで、図４は呼出ランプユニット６を開けた状態を示す部分正面図である。この図に示すように、装置ケースの背面側部分２２の前面２４には、紙幣取り出し口が形成されている。本例では、前面部２９に形成した長方形の開口２９ａと、この開口２９ａを封鎖している鍵付きの開閉蓋３０とによって構成されている。呼出ランプユニット６を開け、開閉蓋３０を開錠して開けることにより、紙幣収納部２８にスタックされている紙幣Ｐを取り出して回収することができる。
【００３０】
勿論、紙幣収納部２８として、当該開口２９ａを介して、装置ケースの背面側部分２２の内部に着脱可能な状態で装着されたカセット形式のものを採用することも可能である。また、呼出ランプユニット６が固定されている部品自体が開閉蓋になるようにしても良い。
【００３１】
このように構成した本実施の形態に係る遊技システム１においては、台間機７の上部における呼出ランプユニット６の間に取り付けた入金装置８は、紙幣収納部２８が形成されている部分が、呼出ランプユニット６の背面側のスペースに配置されている。入金装置８においてスペースを最も必要とする紙幣収納部２８が呼出ランプユニット６の背面側に配置されているので、それ以外の部分、すなわち、紙幣挿入口２５、紙幣識別用の検出部２７が内蔵されている装置ケースの前方突出部分２３は、縦、横および厚さ寸法が小さくて済む。従って、本例のように、呼出ランプユニット６よりも前方への突出量を少なくできるので、呼出ランプユニット６が入金装置８に遮られて目視できない、あるいは見え難くなるといった弊害が発生しない。また、装置ケースの前方突出部分２３は、呼出ランプユニット６の間の間隔が狭い場合にも設置することが可能である。
【００３２】
なお、本実施の形態では、呼出ランプユニット６を上下に開閉するようにしているが、左右に開閉できるようにしてもよい。いずれの開閉方式であっても、呼出ランプユニット６から引き出されている給電用のケーブルに邪魔されることなく、紙幣収納部２８から紙幣を回収できるように、呼出ランプユニット６を開けることができればよい。
【００３３】
また、入金装置８から紙幣を取り出すための開閉蓋３０を個別に施錠、開錠するようにしているが、保安上の観点からは、例えば、遊技システム１を集中管理しているホストコンピュータの側において、開閉蓋３０の開閉を集中管理することが望ましい。
【００３４】
【発明の効果】
以上説明したように、本発明の遊技台用台間機の入金装置では、その一部分、望ましい実施の形態ではその紙幣収納部が形成されている部分を、遊技台上部に取り付けられている呼出ランプユニットの背面側の空間を利用して配置したことを特徴としている。
【００３５】
この構成を採用することにより、呼出ランプユニットの間に配置されている入金装置の部分の高さ、幅および厚さ寸法を小さくすることができる。従って、入金装置が呼出ランプユニットよりも前方に突出して、呼出ランプユニットが横から見えなくなる、あるいは見え難くなるといった問題は発生しない。また、台間機上部のスペースが小さい場合においても、入金装置を設置することができる。
【００３６】
従って、本発明の入金装置は、入金機能が備わっていないプリペイドカード方式の台間機が設置されている既存の遊技島に対して、大幅なレイアウト変更、紙幣搬送経路の設置などを必要とすることなく、台間機に対して入金機能を付加する場合に特に適している。
【図面の簡単な説明】
【図１】本発明を適用した遊技システムを示す部分正面図である。
【図２】図１の遊技システムの部分平面図である。
【図３】図１の遊技システムの部分側面図である。
【図４】図１の遊技システムにおける呼出ランプユニットを開けて、その背面側に配置されている入金装置の部分を示す部分正面図である。
【符号の説明】
１    遊技システム
２    遊技島
３    遊技島の取り付け枠
４    遊技ユニット
５    遊技台
６    呼出ランプユニット
７    台間機
７ａ  カード挿入口
７ｂ  操作部
８    入金装置
９    取り付け枠の化粧板
１０  呼出ランプユニットの取り付け台
１１  蝶番
２１  入金装置の装置ケース
２２  装置ケースの背面側部分
２３  装置ケースの前方突出部分
２４  前面
２５  紙幣挿入口
２６  紙幣搬送路
２７  検出部
２８  紙幣収納部
２９  前面部
２９ａ  開口
３０  開閉蓋
【図１】
2004229697.tif 000003
【図２】
2004229697.tif 000004
【図３】
2004229697.tif 000005
【図４】
2004229697.tif 000006